(57)【要約】【課題】  梱包された物品の跳ね上がりによる変位を含めて物品の受け入れ空間を外箱内の上部に確保して安定に物品をパッキングする。【解決手段】  梱包具２と外箱３とからなる物品運搬用箱である。梱包具２は、物品１をベースボード６に支え、抑えシート７で物品１の表面を覆い、物品１をベースボード６に押付けて定位置に保持して外箱３内に収容するものである。外箱３は壁面１８の一部にストッパ１７を有している。ストッパ１７は、外箱３内に張り出させることによって梱包具２の立上り部分１２の上縁を押さえて梱包具２を外箱３内の定位置に保持させるとともに、梱包具２の立上り部分１２より上方の外箱３内に物品１の跳ね上がりによる物品１の変位を見込んだ物品受け入れ空間Ｓを確保させる。【選択図】  図５
2016141442.tif 000002
【特許請求の範囲】
【請求項１】
梱包具と外箱とからなる物品運搬用箱であって、
梱包具は、ベースボードと、抑えシートとを有し、物品を梱包して外箱内に収容するものであり、
ベースボードは、運搬すべき物品をパッキングする方形の板であり、板面に付された折曲線によって区画された立下り部分と立上り部分とを物品搭載領域の両側および両端に有し、
立下り部分は、ベースボードの側縁から下向きに、立上り部分は、ベースボードの両端縁から上向きに、それぞれ折り返される部分であり、
抑えシートは、少なくとも両端がベースボードの両立下り部分に固定され、ベースボード上に搭載された物品の表面を覆い、立下り部分の折り曲げにより、緊張して物品をベースボードの板面に押付けて定位置に保持させるものであり、
外箱は底面上に梱包具を支えて４周壁面の高さの範囲内に梱包具を収納し、上蓋を施蓋して天面を封止するものであり、４周壁面の高さは梱包具の両端に起立させた立上り部分の高さより高く設定され、ストッパを有し、
ストッパは、壁面の一部に形成され、外箱内に張り出させることによって梱包具の立上り部分の上縁を押さえて梱包具を外箱内の定位置に保持させるとともに、梱包具の立上り部分より上方の外箱内に物品の跳ね上がりによる物品の変位を見込んだ物品の受け入れ空間を確保させるものであることを特徴とする物品運搬用箱。
【請求項２】
前記ストッパは、外箱の対向する壁面と天面の内上蓋とにつながって外箱の一部に形成されたものであり、腕部分と吊り部分とからなり、
腕部分は外箱内に水平方向に張り出して梱包具の立上り部分の上縁を押さえる部分であり、
吊り部分は、内上蓋から外箱内に下向きに張り出して腕部分の先端を支えて腕部分を一定の姿勢に保持させるものであることを特徴とする請求項１に記載の物品運搬用箱。
【請求項３】
前記ストッパは、外箱の対向する両壁面と、当該両壁面につながる天面の内上蓋とに跨って板面一部に一定間隔を置いて平行に２本の切り込みを付すことによって切り起こされた部分であり、壁面から切り起こされた部分が腕部分、天面の内上蓋から切り起こされた部分が吊り部分であり、
腕部分は壁面から直角に折曲されて外箱内に張り出して梱包具の立上り部分の上縁を支え、吊り部分は、外箱の天面の内上蓋から直角に折曲されて外箱内に下向きに張り出し、腕部分の先端を定位置に支えるものであることを特徴とする請求項２に記載の物品運搬用箱。
【請求項４】
吊り部分の長さは梱包具の立上り部分の高さに合わせて設定され、腕部分の長さは吊り部分の長さと同じ長さに設定されていることを特徴とする請求項２または３のいずれかに記載の物品運搬用箱。
【発明の詳細な説明】
【技術分野】
【０００１】
本発明は電子機器類をはじめ各種の物品を格納して運搬する物品運送用箱に関する。
【背景技術】
【０００２】
メーカの製造ラインから物品を出荷する場合や、メーカやメーカの補修センターに物品の修理、保守の依頼があったときに、修理、保守が終了した後に物品をメーカからユーザに返送する場合に、運送用箱には物品の搬送時に受けるかもしれない衝撃や振動から充分に保護する対策や、物品のパッキング作業を容易にしかも効率よく行うことができるような構造が要求される。
【０００３】
このようなさまざまな要求に応ずるため、梱包具と外箱との組合せを用いた物品運搬用箱が開発された（特許文献１参照）。特許文献１に記載された梱包具は、ベースボードと抑えシートとからなり、ベースボードは、運搬すべき物品をパッキングする方形の板であり、板面に付された折曲線によって区画された立下り部分と立上り部分とをベースボードの両側および両端に有するものである。抑えシートはウレタンシートのような弾力性を有し、伸縮性に富む合成樹脂シートであり、ベースボードの両側の立下り部分に糊づけされたものである。
【０００４】
この梱包具を用いて物品をパッキングするときには梱包具のベースボードの板面に物品を搭載し、その表面を抑えシートで覆い、ベースボードの両側縁の立下り部分を下向きに直角に折り返し、さらに水平方向に折り曲げることでベースボードの下方に緩衝空間を形成するとともに物品をベースボードに押付けて定位置に保持させ、次にベースボードの両端の立上り部分を上向きに起立させ、そのままの形状を保持して外箱内に収容し、両立上り部分の上縁を外箱の上蓋で支えて梱包具を定位置に保持させることで物品のパッキングを完了することができる。
ちなみにベースボードの下方に緩衝空間を確保しない簡単な構造の梱包具が特許文献２に記載されている。
【０００５】
ところで、上記物品運搬用箱を用いて物品をパッキングする場合に、物品がノートパソコンのような高さの低い扁平な物品の場合には特別問題は生じないが、物品の高さが梱包具の立上り部分の高さ以上に高い物品の場合には、外箱の上蓋を閉じることができないから、物品の受け入れ空間を確保するため、別仕様で高さが高い外箱と、その高さに見合った梱包具との組合せを別に準備しておき、パッキングすべき物品の高さに応じて外箱と梱包具との組合せを使い分けなければならないという問題が生じる。
【０００６】
このような問題は、外箱内に収納すべき物品の高さが梱包具の立上り部分の高さ以上に高い場合に限らない。物品の高さが梱包具の立上り部分の高さより低い物品であっても、運送中に外箱が落下し、あるいは転倒するなどして抑えシートに強い衝撃が加わると、抑えシートが弾力性を有するため、重量が大きい物品は、抑えシートの押圧力に抗して外箱内で跳ね上がり、外箱の天面に衝突して物品が損傷するという問題が生じる惧れがある。したがって、このような事態に備えるためにも収納物品の上方には、物品の変位を見込んである程度の高さの物品受け入れを可能とし、余裕をもって天面への衝突防止に必要な空間を確保しておくことが必要である。
【先行技術文献】
【特許文献】
【０００７】
【特許文献１】特許第４４２９１９２号
【特許文献２】米国特許公開番号ＵＳ２００６／０２１３８０３  Ａ１
【特許文献３】特許第４８０１６９１号
【発明の概要】
【発明が解決しようとする課題】
【０００８】
解決しようとする問題点は、特許文献１に記載された梱包具と外箱との組合せを用いて物品をパッキングする場合に、パッキングすべき物品の高さが梱包具の立上り部分の高さをこえる場合や抑えシートの押圧力に抗して外箱内で物品が跳ね上がり、外箱の天面に衝突する惧れがある場合には、さらに立上り部分の高さが高い別仕様の梱包具とこれに見合う高さの別仕様の外箱との組合せを用いることによって対応しなければならないという点である。
【課題を解決するための手段】
【０００９】
本発明は、物品の背の高さに関わりなく一定の高さの立上り高さを有する梱包具と、壁面の立上り高さが高い別仕様の外箱との組合せを用いて各種物品の梱包を可能にしたものである。
【００１０】
すなわち、梱包具と外箱とからなる物品運搬用箱において、壁面の立上り高さが高い別仕様の外箱内にストッパを張り出し、梱包具の立上り部分の上縁をストッパで押さえて梱包具を定位置に保持し、しかも外箱内にはストッパより高い位置に物品の跳ね上がりによる変位を含めて物品の受け入れを可能にする空間を確保した点をもっとも主要な特徴としている。
【発明の効果】
【００１１】
本発明によれば、高さの低い物品をパッキングする場合にはストッパのない外箱を用い、背の高い物品や大きい跳ね上りが予想される物品のパッキングにはストッパ付きの背の高い外箱を用い、外箱を使い分けることで、物品の変位を含めて物品の受け入れ空間をストッパの上方に確保して物品のパッキング作業を効率よく容易に行うことができる。
【図面の簡単な説明】
【００１２】
【図１】（ａ）は本発明の梱包具の１実施例を示す展開図、（ｂ）は（ａ）のＢ−Ｂ線断面図である。
【図２】（ａ）、（ｂ）、（ｄ）は本発明の梱包具を用いて物品を梱包する要領を示す図であり、（ｃ）は（ｂ）のＣ−Ｃ線断面図である。
【図３】物品を梱包した梱包具を外箱に格納する要領を示す図である。
【図４】（ａ）〜（ｃ）は、上蓋の折り曲げに関連してストッパーが外箱内に張り出す様子を順に示す図である。
【図５】（ａ）は、ストッパ付きの外箱内に物品を梱包した様子を示す断面図、（ｂ）はストッパのない従来の外箱内に厚さが薄い物品を梱包した様子を示す断面図である。
【発明を実施するための形態】
【００１３】
（１）物品運搬用箱の構成
図３において、本発明による物品運搬用箱は梱包具２と外箱３との組合せである。梱包具２は、緩衝材を兼ねる内装体として、外箱３内に収容すべき物品１を梱包するものである。
【００１４】
（２）梱包具の構造
梱包具２は、図１に示すように、ベースボード６と、抑えシート７との組を有し、図２（ａ）〜（ｄ）のように物品１を保持し、これを図３に示す要領で外箱３内に収容するものである。梱包する物品１は、例えばノート型パソコンのような平らな物品、背の高い機器類、一部に突出物を有する物品などである。
【００１５】
（２−１）ベースボードの構造
図１（ａ），（ｂ）において、梱包具２のベースボード６は、物品１を板の上面に支えるものであり、中央の物品搭載領域Ｚの前後両側縁に立下り部分１１，１１を有し、両端縁に立上り部分１２，１２を有している。
【００１６】
立下り部分１１および立上り部分１２は、いずれも長方形をなすベースボード６の物品搭載領域Ｚの両側縁および両端縁から先の部分である。
【００１７】
立下り部分１１は、脚部分９と、その先の底部分１０とからなり、脚部分９は、ベースボード６の板面に直交させる部分であり、底部分１０は、ベースボード６と平行に折曲される部分である。脚部分９の中央部分は、幅が広く、両端は三角形をなし、その三角形の部分８の鋭角の尖端が立上り部分１２につながっている。
【００１８】
図中、１４ａ，１４ｂは、脚部分９と、底部分１０とを区画する折曲線、１４は、両折曲線１４ａ，１４ｂの合流点から立上り部分１２の端縁に伸びる折曲線を示している。脚部分９の両端の三角形の部分８は、折曲線１４ａ，１４ｂを合流させることによって形成されたものであり、同時に立上り部分１２の基部には、両側に張出した下傾部分５が形成される。
【００１９】
立上り部分１２は、ベースボード６の両端縁に形成される下傾部分５から上方に折り返す部分である。両折曲線１４ａ，１４ｂの合流点に各折曲線を頂点とする多角形の開口４を設けておくと、立上り部分１２の折り曲げが容易になる。図中、１３ａ，１３ｂは、下傾部分５及び立上り部分１２を形成する折曲線を示している。ベースボード６から立下り部分１１を下向きに折返し、立上り部分１２を上向きに折り返したときに、前記脚部分９の両端の三角形の部分８は、図２（ｄ）に示すように両側に張り出す部分となる。
【００２０】
折曲線１４と、１３ａとによって区画されるベースボード６の隅の部分は、保形部分１６である。この例では、保形部分１６の外端を斜めに切り落としているが、四角形のままでも良く、保形部分１６の形状は問わない。保形部分１６は後述するように、立上り部分１２の外面にあてがわれて立下り部分１１を定型に支える部分となる。
【００２１】
（２−２）抑えシートの特性
抑えシート７は、図１（ｂ）のように、両端をベースボード６の裏面に折返して、その左右側縁（立下り部分の端縁）に固定したシートである。
【００２２】
抑えシート７に弾力性，伸縮性を有するシートを用いることで可撓性や可塑性等の衝撃や圧力を吸収、回避することができる。天然ゴム、ＳＥＢＳ、ＳＩＰ等のスチレン系可塑性エラストマーやポリエステル系熱可塑性エラストマー、ポリウレタン系熱可塑性エラストマー、ポリアミド系熱可塑性エラストマー、エチレン一酢酸ビニール共重合体、シングルサイト触媒やミタロセン触媒のポリオレフィンおよびオレフィン系エラストマー等の樹脂フィルムを使用し、使用目的や用途によって選択的に使用できる。環境への配慮、リサイクル性、衛生性、美粧性等を考慮すると、好ましくはポリウレタン系熱可塑性樹脂を原料とする透明フィルムを用いるのがよい。
【００２３】
もっとも、抑えシート７に弾力性、伸縮性を有するシートを用いることで、外箱に強い衝撃が加わったときに物品が抑えシート７でおおわれたままで跳ね上がることがあるため、外箱内には、背の高い物品の受け入れだけでなく、物品が跳ね上がることによって生じる変位を受け入れるための空間を確保しておく必要がある。
【００２４】
（３）外箱の構成
外箱３は、いわゆる段ボール箱である。図３では直方体の有底の箱を示している。天面２０を形成するため、短辺側の開口縁には内上蓋２０ａの対を有し、長辺側の開口縁には外上蓋２０ｂの対を有している。外箱３の天面２０を閉じるときには、まず内上蓋２０ａを閉じ、その上から外上蓋２０ｂを閉じることによって、外箱３のさらなる封止のため、両外上蓋２０ｂ，２０ｂ間に跨って粘着テープ１９を貼り付けることによって天面１９を封止するのは通常の段ボール箱を封止する要領と同じである。
【００２５】
図５（ａ）において、本発明に使用する外箱３の４周壁面１８は一定の立上り高さｈ０を有している。壁面１８の立上がり高さｈ０はベースボードの両端縁から上向きに立ち上げた梱包具２の立上り部分の高さｈ１より高く設定され、高さｈ１に対応する壁面一部にはストッパ１７を設けている。ストッパ１７は、外箱３内に張り出して梱包具２の立上り部分１２の上縁を支え、立上り部分１２の上方に物品１の変位を見込んで、物品１の受け入れ可能な空間を確保して梱包具２を外箱３内の定位置に保持させるものである。
【００２６】
比較のために特許文献１に記載された従来の外箱３０を図５（ｂ）に示す。従来の外箱３０の高さは物品の跳ね上がりによる変位を見込んで梱包具２の立上り部分１２の高さｈ１に設定され、立上り部分１２の上縁を天面２０で押さえて梱包具２を定位置に保持していたものである。
【００２７】
（４）ストッパの構造
本発明において、ストッパ１７は、壁面１８の一部に形成され、外箱３内に張り出させることによって梱包具２の立上り部分１２の上縁を押さえて梱包具２を外箱３内の定位置に保持させるとともに、梱包具２の立上り部分１２より上方の外箱内３に物品１の跳ね上がりによる変位を見込んだ物品の受け入れ空間Ｓ（高さｈ０−ｈ１）を確保したものである。
【００２８】
ストッパ１７は図４（ａ）〜（ｃ）に示すように外箱３の対向する壁面１８と天面２０（内上蓋２０ａ）とにつながって外箱３の一部に形成されたものであり、腕部分１７ａと吊り部分１７ｂとからなり、腕部分１７ａは外箱３内に水平方向に張り出して梱包具２の立上り部分１２の上縁を支える部分となり、吊り部分１７ｂは、外箱３内に張り出した腕部分１７ａの先端を吊り下げて腕部分１７ａを水平の姿勢に保持させる。
【００２９】
具体的には、ストッパ１７は、外箱３の壁面１８と、当該壁面１８につながる天面２０（内上蓋２０ａ）とに跨って板面一部に一定間隔を置いて平行に切込みを付すことによって形成されたものであり、腕部分１７ａは壁面１８から直角に折曲されて外箱３内に張り出して梱包具２の立上り部分１２の上縁を支え、吊り部分１７ｂは、天面２０（内上蓋２０ａ）から直角に折曲されて外箱３内に張り出して腕部分１７ａの先端を支える。
【００３０】
吊り部分１７ｂの長さは梱包具２の立上り部分１２の高さに合わせて設定され、腕部分１７ａの長さは吊り部分１７ｂの長さと同じ長さに設定されている。ストッパ１７の突出位置は腕部分１７ａ及び吊り部分１７ｂの長さによって決定された高さの位置で外箱３内に突出形成される。
【００３１】
（５）梱包具を用いて物品を外箱内にパッキングする要領
（５−１）梱包具による物品の梱包
梱包具を用いて物品を外箱内にパッキングする要領は以下のとおりである。図１（ｂ）において、まず、梱包具２の両立下り部分１１，１１を最初やや上向きに反らせてベースボード６と、抑えシート７との間を開き、図１（ａ）のように立上り部分１２となる面側から開かれたベースボード６と、抑えシート７との間に物品１を差し込む。図２（ａ）にベースボード６と、抑えシート７との間に物品１を差し込んだ状態を示す。
【００３２】
ついで、図２（ｂ）に示すように、抑えシート７の張力に抗して両立下り部分１１を、折曲線１４ａ，１４ｂに沿って下向きに折り曲げる。これによって、立下り部分１１は、図２（ｃ）に示すように脚部分９がベースボード６に対して直角に折り曲げられ、さらに底部分１０がベースボード６と平行に折り曲げられ、保形部分１６は、立上り部分１２の裏面に重ねられる。前記脚部分９の両端の三角形の部分８は、両側に張出し、これによって、抑えシート７は、立下り部分１１に引っ張られて緊張し、脚部分９で直角に折曲される。
【００３３】
ついで、図２（ｄ）において、立上り部分１２をベースボード６の両側縁から上向きに折り返すと、立上り部分１２の折り返しによって、保形部分１６は立上り部分１２の外面にあてがわれたまま立上り部分１２と一体に起立し、立上り部分１２を手で掴んでいる限り保形部分１６はその起立姿勢を保ち、立下り部分１１の脚部分９をベースボード６に対して直角姿勢に保形し、底部分１０を平行姿勢に保形する。梱包具２の両立上り部分１２，１２を起立姿勢に保持することによって、外箱３内に収容すると、立上り部分１２の基部の下傾部分５で折り曲げられ、立下り部分１１側では脚部分９で直角に折曲されて物品１に横ずれが生じず、ベースボード６上の定位置に圧着される。
【００３４】
（５−２）外箱内への梱包具の収納の要領
パッキングすべき物品１がノートパソコンのような厚みが薄い物品、あるいは背の低い物品であることが分かっているときには、図５（ｂ）のように壁面の高さと同じ高さの立上り部分１２を有する外箱３０を選定し、そのまま物品１を包んだ梱包具２を外箱３０内にいれ、天面２０を閉じて（内上蓋、外上蓋の順に閉じて）外箱３０を施蓋し、両側の外上蓋間２０ｂ，２０ｂ間に跨って粘着テープ１９を貼り付けることによって両外上蓋２０ｂ，２０ｂ間を封止すれば、梱包具２の両立上り部分１２，１２は起立姿勢で内上蓋２０ａの下面に抑えられ、梱包具２は定位置に支えられてパッキングを完了する。
【００３５】
ところが、物品１の背丈が高いかあるいは物品１の一部に突出物があって、その高さが梱包具の起立した立上り部分１２の高さより高い部分を有する物品の場合には図５（ｂ）に示す外箱３０内に収容することができない。そのような物品のパッキングにはストッパ付きの外箱を用いる。ストッパ付きの外箱３は、図５（ａ）のように四周壁面の高さが梱包具の立上り部分１２の高さｈ０よりさらに高さｈ１の高さに設定され、ｈ１までの高さの物品１の収納が可能である。
【００３６】
図３（ａ）において梱包具２に物品１を梱包し、両端の立上り部分１２，１２を起立させた姿勢で梱包具２を外箱３内にいれ、図３（ｂ）のようにまず内上蓋２０ａを閉じ、図３（ｃ）のようにその上に外上蓋２０ｂを重ねて天面を閉じる。
これは物品１の背丈が高いかあるいは物品１の一部に突出物があって、その高さが梱包具の起立した立上り部分１２の高さより高い部分を有する物品に限らない。
【００３７】
物品１の背丈が高いかあるいは物品１の突出物の高さが梱包具２の起立した立上り部分１２の高さ以下であっても、衝撃を受けて物品が跳ね上がったときに、その変位が立上り部分１２の高さを超えるときには、その変位を見込んだ物品の受け入れ空間を確保することが必要である。
【００３８】
（５−３）ストッパの張り出し操作
本発明において、ストッパ１７は、図４（ａ）に示すように外箱３の対向する両壁面１８，１８と、当該両壁につながる天面２０（内上蓋２０ａ）とに跨って板面一部に一定間隔を置いて平行に切り込みを付すことによって形成されたものであるため、図４（ｂ）のようにストッパとなる壁面一部を押しながら天面２０（内上蓋２０ａ）を外箱３の開口に向けて折り曲げればストッパ１７の腕部分１７ａは自ずから側壁面に直角に折曲されて外箱３内に張り出す。
【００３９】
一方、吊り部分１７ｂは、図４（ｃ）のように内上蓋２０ａから直角に折曲されて外箱３内に下向きに張り出して腕部分１７ａの先端を支え、ストッパ１７の腕部分１７ａと吊り部分１７ｂとがＬ型となり、腕部分１７ａが立上り部分１２の上縁を押さえて梱包具２を安定に支えることができる。
【００４０】
また、ストッパ１７を外箱３内に張り出させることによって、外箱３の壁面１８の一部と天面２０（内上蓋２０ａ）の一部とに跨って図３（ｃ）のように穴が開くが、内上蓋２０ａの上面は外上蓋２０ｂでふさがれ、両側壁面１８に開口される穴は粘着テープ１９でふさがれるため、格別の問題は生じない。
【００４１】
本発明によれば、パッキングすべき物品の背の高さの高低に応じてストッパ付きの高さの高い外箱とストッパのない高さが低い外箱とを使い分けて高さが異なる物品、背丈が低くても衝撃を受けたときに大きな跳ね上がりが予想される物品などの物品のパッキング作業を効率よく行うことができる。なお、梱包具の立上り部分を収納ケースに利用する例が特許文献３に記載されているが、本発明は立上り部分を収納ケースに利用する梱包具を用いる場合であっても何ら問題なく適用することができる。
【産業上の利用可能性】
【００４２】
本発明は、電子機器類の運送用梱包具、食器などのわれものの運送用梱包具として利用できる。
【符号の説明】
【００４３】
１  物品
２  梱包具
３  外箱
４  開口
５  下傾部分
６  ベースボード
７  抑えシート
８  三角形の部分
９  脚部分
１０  底部分
１１  立下り部分
１２  立上り部分
１３ａ，１３ｂ，１４，１４ａ，１４ｂ  折曲線
１６  保形部分
１７  ストッパ
１７ａ  腕部分
１７ｂ  吊り部分
１８  壁面
１９  粘着テープ
２０  天面
２０ａ  内上蓋
２０ｂ  外上蓋
Ｓ  物品受け入れ空間
【図１】
2016141442.tif 000003
【図２】
2016141442.tif 000004
【図３】
2016141442.tif 000005
【図４】
2016141442.tif 000006
【図５】
2016141442.tif 000007